(57)【要約】【課題】把持する指により画像を覆い隠すことのない撮影装置を提供する。【解決手段】被写体を撮像する撮像手段と、前記撮像手段で撮像された被写体画像を表示する画面を有する画像表示手段と、前記画像表示手段の画面における指で覆われている被覆領域及び覆われていない非被覆領域のいずれか一方を検出する領域検出手段と、前記領域検出手段で検出された非被覆領域に前記被写体画像を表示するように制御する制御手段と、を有する。【選択図】図６
2007228233.tif 000002
【特許請求の範囲】
【請求項１】
被写体を撮像する撮像手段と、
前記撮像手段で撮像された被写体画像を表示する画面を有する画像表示手段と、
前記画像表示手段の画面における指で覆われている被覆領域及び覆われていない非被覆領域のいずれか一方を検出する領域検出手段と、
前記領域検出手段の検出結果に基づいて定めた非被覆領域に含まれる画像表示領域に前記被写体画像を表示するように制御する制御手段と、
を有する撮影装置。
【請求項２】
前記制御手段は、前記画像表示手段の画面から、前記画像表示領域と前記被覆領域とを除いた空き領域に、被写体画像に関する関連情報を表示するように制御する請求項１に記載の撮影装置。
【請求項３】
前記画面を矩形状としたとき、
前記領域検出手段は、前記指を前記画面の各辺へ投影した長さを１対の辺とする領域を被覆領域として検出する請求項２に記載の撮影装置。
【請求項４】
前記関連情報は、前記画像表示領域に表示されている部分画像の全体を表わすと共に、前記表示されている部分画像の範囲を明示する画像である請求項２または請求項３に記載の撮影装置。
【請求項５】
前記関連情報は、前記被写体を撮影したときのシャッタスピード情報、絞り値情報、及び前記被写体画像の輝度の分布を表わす情報の少なくとも１つである請求項２または請求項３に記載の撮影装置。
【請求項６】
前記関連情報は、前記被写体画像に対して画質補正が施された１つ以上の画像である請求項２または請求項３に記載の撮影装置。
【請求項７】
前記関連情報は、前記撮像手段により撮像された画像を縮小したサムネイル画像である請求項２または請求項３に記載の撮影装置。
【請求項８】
表示される前記関連情報の種類を、前記被覆領域の位置に応じて定めた請求項２から請求項７のいずれか１項に記載の撮影装置。
【請求項９】
前記撮像手段により撮像された画像を示すデジタル画像データを記録する記録手段を更に有する請求項１から請求項８のいずれか１項に記載の撮影装置。
【発明の詳細な説明】
【技術分野】
【０００１】
本発明は、撮影装置に関し、特に大型の表示画面を有する撮影装置に関する。
【背景技術】
【０００２】
デジタルカメラには、スルー画像や撮影した画像などを表示するための表示画面が設けられている。近年では、特許文献１から３に開示されているように、表示画面にタッチパネルを設け、ユーザが表示画面に表示されたアイコンなどを操作することで、種々の機能を提供するデジタルカメラも少なくない。
【０００３】
このような場合の操作性の向上や、表示する画像の視認性を良くするために、表示画面は大型化の傾向がある。
【０００４】
一方、デジタルカメラ自体は小型化の傾向があるため、大型の表示画面の場合、デジタルカメラの背面のほとんどが表示画面となることもあり得る。この場合、デジタルカメラを把持する指により、画像の一部が覆い隠されることとなる。
【０００５】
そこで、特許文献４には、画像を全画面に表示せず、ＬＣＤの表示画面の一部に画像を表示することで、画像を覆い隠すことなく画像全体を確認できるモニタ付きカメラが開示されている。
【特許文献１】特開平８−１３７６２０号公報
【特許文献２】特開平１１−１３６５６８号公報
【特許文献３】特開２０００−３４１５７２号公報
【特許文献４】特開平１１−２８９４８４号公報
【発明の開示】
【発明が解決しようとする課題】
【０００６】
しかしながら、指の大きさは人により異なり、把持する位置も一定ではないことから、特許文献４に開示されたモニタ付きカメラでは、指が画像を覆い隠すこともあり得る。
【０００７】
本発明は上記問題点に鑑み、把持する指により画像を覆い隠すことのない撮影装置を提供することを目的とする。
【課題を解決するための手段】
【０００８】
上記目的を達成するために請求項１の発明は、被写体を撮像する撮像手段と、前記撮像手段で撮像された被写体画像を表示する画面を有する画像表示手段と、前記画像表示手段の画面における指で覆われている被覆領域及び覆われていない非被覆領域のいずれか一方を検出する領域検出手段と、前記領域検出手段の検出結果に基づいて定めた非被覆領域に含まれる画像表示領域に前記被写体画像を表示するように制御する制御手段と、を有する。
【０００９】
ここで、請求項１に発明では、画像表示手段の画面における指で覆われている被覆領域及び覆われていない非被覆領域のいずれか一方を検出し、検出結果に基づいて定めた非被覆領域に含まれる画像表示領域に被写体画像を表示するように制御するので、把持する指により画像を覆い隠すことのないデジタルカメラを提供することができる。
【００１０】
また、請求項２の発明は、前記制御手段は、前記画像表示手段の画面から、前記画像表示領域と前記被覆領域とを除いた空き領域に、被写体画像に関する関連情報を表示するように制御する。
【００１１】
ここで、請求項２に記載の発明は、空き領域に被写体画像に関する関連情報を表示するので、空き領域を有効に利用することができる。
【００１２】
請求項３の発明は、前記画面を矩形状としたとき、前記領域検出手段は、前記指の前記画面の各辺への投影長さを１対の辺とする領域を被覆領域として検出する。
【００１３】
ここで、請求項３に記載の発明は、比較的軽い処理により空き領域を求めることができる。
【００１４】
請求項４の発明は、前記画像表示領域に表示されている部分画像の全体を表わすと共に、前記表示されている部分画像の範囲を明示する画像である。
【００１５】
ここで、請求項４に記載の発明では、関連情報として例えばナビ画面を表示することができる。
【００１６】
請求項５の発明は、前記関連情報は、前記被写体を撮影したときのシャッタスピード情報、絞り値情報、及び前記被写体画像の輝度の分布を表わす情報の少なくとも１つである。
【００１７】
ここで、請求項５に記載の発明では、関連情報として被写体を撮影したときのシャッタスピード情報、絞り値情報、及び前記被写体画像の輝度の分布を表わす情報を表示することができる。
【００１８】
請求項６の発明は、前記装置関連情報は、前記被写体画像に対して画質補正が施された１つ以上の画像である。
【００１９】
ここで、請求項６に記載の発明では、関連情報として被写体画像に対して画質補正が施された１つ以上の画像を表示することができる。
【００２０】
請求項７の発明は、前記装置関連情報は、前記撮像手段により撮像された画像である。
【００２１】
ここで、請求項７に記載の発明では、関連情報として、撮像手段により撮像された画像を縮小したサムネイル画像を表示することができる。
【００２２】
請求項８の発明は、示される前記関連情報の種類を、前記被覆領域の位置に応じて定めた。
【００２３】
ここで、請求項８に記載の発明では、ユーザは把持する位置を変えるだけで、表示する情報の種類を選択することができる。
【００２４】
請求項９の発明は、前記撮像手段により撮像された画像を示すデジタル画像データを記録する記録手段を更に有する。
【００２５】
ここで、請求項９に記載の発明では、デジタル画像データを記録することができる。
【発明の効果】
【００２６】
本発明によれば、把持する指により画像を覆い隠すことのない撮影装置を提供することができるという効果が得られる。
【発明を実施するための最良の形態】
【００２７】
以下、図面を参照して、本発明の実施の形態について詳細に説明する。
【００２８】
まず、図１を参照して、本実施の形態に係る撮影装置としてのデジタルカメラ１０の外観上の構成を説明する。
【００２９】
デジタルカメラ１０の正面には、被写体像を結像させるためのレンズ２１と、撮影時に必要に応じて被写体を照射する光を発するストロボ４４と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００３０】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３１】
そして、デジタルカメラ１０では、レリーズボタン５６Ａを半押し状態にすることによりＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００３２】
一方、デジタルカメラ１０の背面には、撮影された被写体像、スルー画像、及びメニュー画面等を表示するとともにタッチパネルが設けられた大型の液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃと、が備えられている。
【００３３】
また、デジタルカメラ１０の背面には、撮影時にストロボ４４を強制的に発光させるモードである強制発光モードを設定する際に押圧操作される強制発光スイッチ５６Ｅが更に備えられている。
【００３４】
次に、図２を参照して、本実施の形態に係るデジタルカメラ１０の電気系の構成を説明する。
【００３５】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３６】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３７】
なお、デジタル信号処理部３０は、所定容量のラインバッファを内蔵し、入力されたデジタルデータを後述するメモリ４８の所定領域に直接記憶させる制御も行う。
【００３８】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３９】
一方、デジタルカメラ１０は、被写体像やメニュー画面等をＬＣＤ３８に表示させるための信号を生成してＬＣＤ３８に供給するＬＣＤインタフェース３６と、タッチパネル３９と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００４０】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、リサイズ回路３７と、を含んで構成されている。
【００４１】
なお、本実施の形態のデジタルカメラ１０では、メモリ４８としてＶＲＡＭ（Video RAM）が用いられ、メモリカード５２としてスマートメディア（Smart Media(登録商標)）が用いられている。また、タッチパネル３９は、感圧式または静電式のいずれでも良く、外部から被覆された領域の位置座標を検出し、それを出力する。リサイズ回路３７は、画像の大きさをリサイズする回路である。
【００４２】
デジタル信号処理部３０、ＬＣＤインタフェース３６、ＣＰＵ４０、メモリインタフェース４６、外部メモリインタフェース５０、タッチパネル３９、リサイズ回路３７、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、タッチパネル３９からの出力の受信、メモリ４８及びメモリカード５２へのメモリインタフェース４６及び外部メモリインタフェース５０を介したアクセスを各々行うことができる。
【００４３】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４４】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４５】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００４６】
更に、前述のレリーズボタン５６Ａ、電源スイッチ５６Ｂ、モード切替スイッチ５６Ｃ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００４７】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４８】
次に、本実施の形態に係るデジタルカメラ１０の撮影時における全体的な動作について簡単に説明する。
【００４９】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５０】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５１】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００５２】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５３】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５４】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００５５】
次に、上述したデジタルカメラで実行される処理について説明する。図３には、ユーザがデジタルカメラを把持した場合に実行される処理を示すフローチャートが示されている。
【００５６】
ステップ１０１は、被覆領域を検出したかどうかの判断である。被覆領域が検出されると、ステップ１０２で、被覆領域演算処理が実行される。この被覆領域演算処理は、非被覆領域に含まれる画像表示領域を求める処理であり、詳細は後述する。
【００５７】
ステップ１０３で、被覆領域演算処理で求まった画像表示領域に画像を表示する。その後、ステップ１０４で、関連情報表示処理が実行される。この関連情報表示処理は、被写体に関する情報を表示する処理で、詳細は後述する。
【００５８】
次に、図４、図５を用いて、被覆領域演算処理について説明する。図４は、被覆領域演算処理で用いられる座標を示すものである。図４に示される座標は、ＬＣＤに対応し、タッチパネルから出力される位置座標に基づく処理を実行するために用いられる。図４の場合、被覆領域６０は、ユーザの指により被覆されている領域を示している。
【００５９】
また、この座標において、Ｘのとりうる値は０からＮまでとし、Ｙの取り得る値は０からＭまでとする。この（Ｎ，Ｍ）は、それぞれＬＣＤにおけるＸ軸方向（以下、横方向と表現することがある）の画素数、Ｙ軸方向（以下、縦方向と表現することがある）の画素数とする。
【００６０】
この座標を用いて、図５に示される被覆領域演算処理の説明をする。まず図５で用いられる記号について説明する。
【００６１】
ステップ２０１に示される記号ｋ、ｓ、ｔはループカウンタであり、記号ｐ、ｑ、ｒは、表示する画像の大きさと位置を示す情報である。ステップ２０２に示される記号Ｒは、被覆領域の点の集合である。
【００６２】
ステップ２０４、２０５に示される記号ｎ、ｍは、Ｎ：Ｍ＝ｎ：ｍを満たし、かつｎ×ｍの画素数に画像を表示可能なｎ、ｍの中で最小の値とする。例えば、Ｎ＝１２、Ｍ＝４で、３×１の画素数で画像を表示可能な場合、ｎ＝３、ｍ＝１となる。また、ステップ２１０に示される記号Ｌは、Ｌ＝Ｎ／ｎ＝Ｍ／ｍで定まる値である。
【００６３】
ステップ２０２に示される記号Ａは、以下の式で定義される。
Ａ（ｓ,ｔ,ｋ）
＝｛（ｘ,ｙ）｜0≦ｓ≦ｘ≦ｓ＋ｎｋ≦Ｎ、0≦ｔ≦ｙ≦ｔ＋ｍｋ≦Ｍ｝
この集合Ａは、ＬＣＤにおいて画像を表示することが可能な領域を示す集合であり、最小の画素数の画像が表示される領域から最大の画素数の画像が表示される領域までを網羅した集合である。具体的に説明すると、Ａが示す領域は、横方向の辺がｓからｓ＋ｎｋで、縦方向の辺がｔからｔ＋ｍｋの矩形の領域である。ｓが大きくなると、領域は横方向に移動し、ｔが大きくなると領域は縦方向に移動する。従って、ｓ,ｔは、指と重ならない領域を探すために領域を移動させるためのパラメータである。また、ｋが大きいほどＡが示す領域の面積は大きいものとなる。
【００６４】
以下、フローチャートについて説明する。ステップ２０１は、各パラメータの初期化である。次のステップ２０２は、Ａが示す領域と、Ｒとのインターセクションが、φ（空集合）であるかどうかの判断である。この判断は、Ｒの要素である画素のうちで、Ａに含まれるものがあるかどうかで判断することができる。空集合ではないと判断されると、次のステップ２０４へ処理が進む。
【００６５】
空集合であると判断されると、Ａが示す領域と指が重なっていないため、ステップ２０３で、その領域を記録するために、ｐ,ｑ,ｒにそれぞれｓ,ｔ,ｋが代入される。なお、このステップ２０３では、ステップ２０２で空集合と判断された値が次々に上書きされるが、Ａの定義から、Ａが示す領域の面積がｎ×ｍ×（ｋの２乗）であることと、ｋが単調増加であることから、常に最大の面積を有する領域の情報が記録されることとなる。
【００６６】
次のステップ２０４での判断は、Ａが示す領域が縦方向の最大値まで到達したかどうか判断である。ステップ２０４で、否定判断されると、ステップ２０５でｔが増分されることで領域が縦方向に移動され、再びステップ２０２の判断が行われる。
【００６７】
ステップ２０４で肯定判断されると、ステップ２０６で、ｔに０が代入される。次に、ステップ２０７の判断が行われる。この判断は、Ａが示す領域が横方向の最大値まで到達したかどうか判断である。ステップ２０７で、否定判断されると、ステップ２０８でｓが増分されることで領域が横方向に移動され、再びステップ２０２の判断が行われる。
【００６８】
ステップ２０７で肯定判断されると、ステップ２０９で、ｓに０が代入される。次に、ステップ２１０の判断が行われる。この判断は、ｋとＬが等しいかどうかいう判断であるが、これはＡが示す領域が全画面の大きさになったかどうか判断である。否定判断されると、ステップ２１１でｋが増分されることで領域が一回り大きくなり、再びステップ２０２の判断が行われる。
【００６９】
以上の処理により、画像表示領域｛（ｘ,ｙ）｜ｐ≦ｘ≦ｐ＋ｎｒ、ｑ≦ｙ≦ｑ＋ｍｒ｝が定まるので、この領域が示す大きさと位置に、画像を表示することができる。また、この領域とＲを除いた領域が空き領域となる。
【００７０】
図６は、画像の表示例を示す図である。図６には、被覆領域６０と画像６２とが示されており、被覆領域６０と画像６２は重なっていないことが示されている。また、画像を示すデジタル画像データは、上述したメモリカードに記録することが可能となっている。
【００７１】
なお、図７に示されるように、指を画面の各辺へ投影した長さを１対の辺とする領域を被覆領域として検出する６１として検出しても良い。
【００７２】
次に、図８を用いて、空き領域に被写体画像に関する関連情報を表示する関連情報表示処理（図３のステップ１０５参照）について説明する。この処理は、画像６２（図６参照）を表示する領域と被覆領域６０とを除いた空き領域に、被写体に関する情報を表示する処理である。
【００７３】
なお、本実施の形態で表示される関連情報の種類には、ナビ画面、シャッタスピード情報、絞り値情報、輝度のヒストグラム、画質補正したスルー画像、及び前に撮影した画像がある。
【００７４】
このうち、ナビ画面とは、例えば表示領域に表示されている部分画像の全体を表わすと共に、示されている部分画像の範囲を明示する画面である。このナビ画面は、従来から用いられているように、例えばタッチペンで範囲を指定すると、その指定された範囲が拡大あるいは縮小して表示される機能を有する画面である。
【００７５】
以下、フローチャートを説明する。ステップ３０１で、Ｗ≦Ｍ×１／４かどうか判断される。ここで、Ｗは、被覆領域に属する点のＹ座標を示している。このＷの定め方は、例えば、被覆領域に属する点のＹ座標のうちの最大値としても良いし、被覆領域に属する点のＹ座標の最大値と最小値の中間値であっても良い。
【００７６】
ステップ３０１で肯定判断された場合、ステップ３０２でナビ画面を表示する。図９は、ナビ画面６４が表示された画面例を示す図である。
【００７７】
ステップ３０３で、Ｗ≦Ｍ×２／４かどうか判断される。ステップ３０３で肯定判断された場合、ステップ３０４でシャッタスピード情報、絞り値情報、輝度のヒストグラムを表示する。図１０は、被写体を撮影したときのシャッタスピード及び絞り値情報６６と、輝度のヒストグラム６８とが表示された画面例を示す図である。
【００７８】
ステップ３０５で、Ｗ≦Ｍ×３／４かどうか判断される。ステップ３０５で肯定判断された場合、ステップ３０６で画質補正処理が施された１つ以上のスルー画像を表示する。図１１は、スルー画像をデジタル信号処理部により画質補正処理が施された３枚の画質補正画像７０が表示された画面例を示す図である。ここに表示される画像として、オートブラケット撮影時の画像を含む例えばホワイトバランス調整した画像、ガンマ処理した画像、シャープネス処理した画像など、異なる画質補正処理が施された画像を表示するようにしても良いし、オートブラケット撮影時の画像を表示するようにしても良い。
【００７９】
ステップ３０５で否定判断された場合、ステップ３０７で前に撮影した画像を表示する。図１２は、前に撮影した画像７２が表示された画面例を示す図である。なお、前に撮影した画像とは、例えば一つ前に撮影した画像や、予め記録されている画像を縮小したサムネイル画像を示す。
【００８０】
このように、本実施の形態に係るデジタルカメラは、表示する装置関連情報の種類を、被覆領域の位置に応じて定めたものとすることにより、ユーザは把持する位置を変えるだけで、表示する情報の種類を選択することができる。
【図面の簡単な説明】
【００８１】
【図１】本実施の形態に係るデジタルカメラの外観上の構成を示す図である。
【図２】本実施の形態に係るデジタルカメラの電気系の構成を示す図である。
【図３】デジタルカメラを把持した場合に実行される処理を示すフローチャートである。
【図４】座標を示す図である。
【図５】被覆領域演算処理を示すフローチャートである。
【図６】画像の表示例を示す図である。
【図７】空き領域を示す図である。
【図８】装置情報表示処理を示す図である。
【図９】ナビ画面が表示された画面例を示す図である。
【図１０】シャッタスピード及び絞り値情報とヒストグラムとが表示された画面例を示す図である。
【図１１】画質補正画像が表示された画面例を示す図である。
【図１２】前に撮影した画像が表示された画面例を示す図である。
【符号の説明】
【００８２】
１０  デジタルカメラ
２１  レンズ
２２  光学ユニット
２４  ＣＣＤ
２６  アナログ信号処理部
２８  ＡＣＤ
３０  デジタル信号処理部
３２  タイミングジェネレータ
３４  モータ駆動部
３６  ＬＣＤインタフェース
３９  タッチパネル
５２  メモリカード
５４  圧縮・伸張処理回路
５６Ａ レリーズボタン
６０、６１  被覆領域
６２  画像
６４  ナビ画面
６６  シャッタスピード及び絞り値情報
６８  ヒストグラム
７０  画質補正画像
７２  前に撮影した画像
【図１】
2007228233.tif 000003
【図２】
2007228233.tif 000004
【図３】
2007228233.tif 000005
【図４】
2007228233.tif 000006
【図５】
2007228233.tif 000007
【図６】
2007228233.tif 000008
【図７】
2007228233.tif 000009
【図８】
2007228233.tif 000010
【図９】
2007228233.tif 000011
【図１０】
2007228233.tif 000012
【図１２】
2007228233.tif 000013
【図１１】
2007228233.tif 000014